(57)【要約】【課題】  一般にポリ袋と呼ばれるごみ袋を海岸、公園、遊園地などでごみの収集に使うことが多いが、一々ごみ袋の口を開かなければならないなどの課題がある。極めて簡単な構造で使い勝手の良いごみ袋の取付枠を提供する。【解決手段】  連結部４により一体的に形成され、かつ上記連結部４を折り畳むことにより互いに嵌合する外側枠体２と内側枠体３とよりなるごみ袋用取付枠１の前記外側枠体２と前記内側枠体３の間に、ごみ袋１１を挟みこむことにより、前記ごみ袋１１を前記ごみ袋用取付枠１に取着することを特徴とするごみ収集具を提供する。【選択図】  図４
2005119790.tif 000002
【特許請求の範囲】
【請求項１】
連結部により一体的に形成され、かつ前記連結部に沿って折り畳むことにより互いに嵌合する外側枠体と内側枠体とよりなるごみ袋用取付枠。
【請求項２】
外側枠体に回動可能に一端が取付けられ、他端が自由端となる片持支持片を少なくとも２箇所に備えてなる請求項１記載のごみ袋用取付枠。
【請求項３】
外側枠体及び内側枠体のそれぞれに、前記外側枠体を前記内側枠体に嵌合させたとき、貫通孔を形成するような位置に透孔を設けてなる請求項１記載のごみ袋用取付枠。
【請求項４】
連結部により一体的に形成され、かつ上記連結部を折り畳むことにより互いに嵌合する外側枠体と内側枠体とよりなるごみ袋用取付枠の前記外側枠体と前記内側枠体の間に、ごみ袋を挟みこむことにより、前記ごみ袋を前記ごみ袋用取付枠に取着することを特徴とするごみ収集具。
【請求項５】
請求項３に記載のごみ袋用取付枠の貫通孔に支持脚の支柱の先端を挿通することを特徴とするごみ収集具。
【発明の詳細な説明】
【技術分野】
【０００１】
本発明は、ごみ袋、特に一般にポリ袋と呼ばれる合成樹脂フイルム製のごみ袋を着脱できるごみ袋用取付枠及びその取付枠を使用したごみ収集具に関する。
【背景技術】
【０００２】
従来、合成樹脂フイルムのごみ袋は多用されており、屋外、例えば海岸、公園、遊園地などでごみの収集を行なう場合、袋をそのまま持ち、ごみを拾う都度、袋を開いてごみを入れる場合が多かった。その場合、袋が思うように開かないとか、ごみを入れたつもりがごみ袋の十分な開口がないためにごみが入っていないとか、あるいは火バサミで袋を不本意に破ってしまうなどの問題点があった。
【０００３】
そこで、そのような問題点を解消するために、ごみ袋を事前に開いた状態に保持するための器具が提案されている（例えば、特許文献１参照）。
【特許文献１】特開２００２−３６２７０２号公報
【発明の開示】
【発明が解決しようとする課題】
【０００４】
しかしながら、特許文献１に開示の器具は、２つのストッパー本体をネジで連結して、ストッパー本体によるリング枠体を形成し、そのリング枠体にごみ袋を沿わせて別途用意された取り外し可能なゴム製のストッパーをストッパー本体に嵌めこみごみ袋をリング枠体に固定せんとするもののようである。
【０００５】
しかしながら、この器具は連結用のネジを必ず必要とし、かつ又ごみ袋を枠体上部に沿わせてからゴム製のストッパーで固着しなければならず使い勝手が極めて悪く、かつ部品点数も多くコスト的にも問題があると考えられる。
【課題を解決するための手段】
【０００６】
本発明は上記のような問題点を解決する簡易かつ使い勝手の極めてよいごみ袋用取付枠及びその取付枠を用いたごみ収集具を提供するものである。
【０００７】
本発明請求項１の発明は、連結部により一体的に形成され、かつ前記連結部に沿って折り畳むことにより互いに嵌合する外側枠体と内側枠体とよりなるごみ袋用取付枠を提供する。この取付枠は極めて簡単な構造でかつ軽量、高強度に作ることができ、しかもワンタッチでごみ袋を取着できる画期的なものである。
【０００８】
本発明請求項２の発明は、外側枠体に回動可能に一端が取付けられ、他端が自由端となる片持支持片を少なくとも２箇所に備えてなる請求項１記載のごみ袋用取付枠であり、片持支持片を適宜利用することにより、後で詳述するようにごみ収集の作業途中等に一時的に置く時などのとき好都合である。
【０００９】
本発明請求項３の発明は、外側枠体及び内側枠体のそれぞれに、前記外側枠体を前記内側枠体に嵌合させたとき、貫通孔を形成するような位置に透孔を設けてなる請求項１記載のごみ袋用取付枠であり、その貫通孔を利用して、簡単な支持脚を併用すればごみ袋を垂直状態に立てて置くことができる。
【００１０】
本発明請求項４の発明は、連結部により一体的に形成され、かつ上記連結部を折り畳むことにより互いに嵌合する外側枠体と内側枠体とよりなるごみ袋用取付枠の前記外側枠体
と前記内側枠体の間に、ごみ袋を挟みこむことにより、前記ごみ袋を前記ごみ袋用取付枠に取着することを特徴とするごみ収集具である。
【００１１】
本発明請求項５の発明は、請求項３に記載のごみ袋用取付枠の貫通孔に支持脚の支柱の先端を挿通することを特徴とするごみ収集具である。
【発明の効果】
【００１２】
本発明は、上記のような構成のごみ袋用取付枠であるから、材料の選択で軽量でかつ高強度のものが採用でき、持ち運び、保管時はコンパクトにして、使用時はワンタッチで簡易に組み立て可能なごみ袋用取付枠及びごみ収集具を提供することができる。
【発明を実施するための最良の形態】
【００１３】
以下、本発明の実施例につき、図面を参照しながら詳細に説明する。
【００１４】
図１は、本発明の一実施例におけるごみ袋用取付枠１の斜視図であり、四角形状（縦約３２ｃｍ，横約３２ｃｍ）の外側枠体２と同じく四角形状の内側枠体３が連結部４により一体的に形成されている。それぞれの枠体２、３の形状は前記連結部４に沿って折り畳むことにより、嵌合するようになっている。枠体２、３の材料は軽量で、強度的にも十分なプラスチック、特に強化プラスチックなどが適しているが、勿論プラスチックに限定されるものではない。又、枠体の形状は必ずしも四角形状に限られるものでもなく、大きさも適宜選択できる。又、図示例では内外枠体の断面形状がＬ字状となっているが、この形状もＬ字状に限定されるものでない。
【００１５】
取付枠１の連結部は、本実施例の場合、外側枠体２、内側枠体３の形成と同時に一体加工されたものを示しているが外側枠体２と内側枠体３を別々に作り、それら取付枠２及び３をつき合わせてテープ状体で貼り付けるなどの方法によっても構成可能である。
【００１６】
本実施例では、更に外側枠体２の両側に一端５がピン６で取付けられた片持支持片７があり、その片持支持片７の他端８は自由端となるように、即ち片持支持片７は回動自在となっている。回動自在といっても他端８が全く自由に動くということではなく、付勢することによって動き付勢をはずすとその直前の状態を保つ程度にピン６による締め付けを加減する。
【００１７】
更に又、外側枠体２と内側枠体３のそれぞれの両側に透孔９を設けている。この透孔９は外側枠体２と内側枠体３とを嵌合させたとき、それぞれの透孔によって貫通孔が形成されるように透孔の位置を設定している。
【００１８】
尚、１０は、例えば手で持ちやすいように設けた孔で外側枠体２及び内側枠体３の両方に設け、かつ両枠体２、３を嵌合させたとき、孔１０が互いに揃うような位置に設けている。
【００１９】
図２の（ａ）は、同上実施例のごみ袋用取付枠１の平面図、図２の（ｂ）は同側面図であり、各図番で示すものは先に図１のところで説明したものと同じであり、以下の説明においても、同一図番のものは同じものを指す。
【００２０】
図３は、ごみ袋用取付枠１にごみ袋１１を取着するときの状態を説明するための図で、（ａ）はごみ袋１１を内側枠体３に枠体の外縁をこえ枠体３にかぶせた状態を示す図、同（ｂ）はそののち外側枠体２を図３（ａ）の一点鎖線１２に示すように連結部４に沿って折り畳むことにより、内側枠体３と外側枠体２が嵌合した状態を示す図である。ごみ袋１１は枠体２、３の嵌合により取付枠１にしっかりと取着される。勿論、枠体２、３を互い
に開くことによりごみ袋１１は容易に取付枠１から外すことができることはいうまでもない。
【００２１】
図４は、ごみ袋１１が取付枠ｌに取着された状態を示す斜視図であり、広い開口を有するごみ収集具が簡単に作ることができる。収集具を例えば孔１０等に手をそえ持つならば歩きながらのごみ収集の作業が極めて能率良く行なえる。尚、片持支持片７が図４では枠体２、３の延在する方向とは直交する方向、いわば垂直方向になっているが、支持片７の方向は、元の状態の枠体２、３の延在する方向、いわば水平方向のままであっても良く適宜使い分ければ良いことである。
【００２２】
図４のように垂直に立てておくと、作業途中に地面に置くときなど便利なことが多い。例えば、海辺の砂浜などで作業をするとき図５に示すように、仮置きすると何かと使い勝手が良い。
【００２３】
図６は、ごみを少々収集したときの移動時の状態を説明するためのごみ収集具の斜視図である。孔１０を手に持つことにより、取付枠１及びごみの自重により、ごみ袋１１に蓋をしたと同様な形となり好都合である。孔１０は又手に持つときだけでなく、公園などの木の枝のような突起に掛けることにも利用できる。
【００２４】
図７は、他の応用例であるごみ収集具を示す斜視図で、支持脚１３を使って仮のごみ箱となし得ることを示している。支持脚１３は棒状体を組み立てることにより簡便に作ることができるが、下端部はリング状にして平面部を構成し、上部に向って支柱１４を設け、支柱１４の先端１５を枠体２、３の透孔９よりなる貫通孔に挿通する。こうすることによってごみ袋は垂直方向にきちんと保たれかつ開口部は取付枠１があるので十分にとりうる。
【図面の簡単な説明】
【００２５】
【図１】本発明の一実施例におけるごみ袋用取付枠の斜視図である。
【図２】本発明の一実施例におけるごみ袋用取付枠の平面図及び側面図である。
【図３】本発明の一実施例であり、ごみ袋用取付枠にごみ袋を取着するときの状態を説明するための図である。
【図４】本発明の一実施例であるごみ収集具であり、ごみ袋がごみ袋用取付枠に取着された状態を示す斜視図である。
【図５】本発明の一実施例であるごみ収集具を地面に仮置した状態を示すための図である。
【図６】本発明の一実施例であるごみ収集具を持ち運ぶときの状態を示す図である。
【図７】本発明の他の応用例であるごみ収集具を示す斜視図である。
【符号の説明】
【００２６】
１      ごみ袋用取付枠
２      外側枠体
３      内側枠体
４      連結部
６      ピン
７      片持支持片
９      透孔
１１    ごみ袋
１３    支持脚
１４    支柱
【図１】
2005119790.tif 000003
【図２】
2005119790.tif 000004
【図３】
2005119790.tif 000005
【図４】
2005119790.tif 000006
【図５】
2005119790.tif 000007
【図６】
2005119790.tif 000008
【図７】
2005119790.tif 000009